(57)【要約】      （修正有）【課題】ＯＣＲ用画像作成において、画像の傾き補正・ノイズ除去・ライン除去が設定値に基づく画像編集加工が自働で施され文字認識率を向上させることができる光学式文字認識システムの画像処理プログラム及び画像処理方法を提供する。【解決手段】ＯＣＲ認識精度向上目的をした有効な機能を有するソフトウェアにて事前に調整内容を記憶をさせ、画像データの一括処理を実施することで、多くの対象画像データを簡便に処理ができ、認識精度向上が図れることとなる。【選択図】図９
2020119479.tif 000002
【特許請求の範囲】
【請求項１】
ＯＣＲ処理を前提とした画像データに対し、白黒二値化・傾き補正・ノイズ／ライン／特定色除去・フォーム照合・フォーム振分けの機能を有し、且つ、各機能に対し使用ユーザーにより任意で選択される機能を同時に２機能以上の一括処理にて画像加工が実施出来ること及びシステムが含まれる。
【発明の詳細な説明】
【技術分野】
【０００１】本発明は、光学式文字認識（以下ＯＣＲと言う）において文字認識の基となる画像データの品質によりその認識精度が大きく左右される特性がありＯＣＲ時の認識精度向上の実現する画像加工を実施する発明である。
【背景技術】
【０００２】ＯＣＲ処理において対象とする帳票より文字認識の基となる画像データを作成し文字認識を実施しているが、認識精度向上のため、画像の傾き・画像の向きが正確である画像の提供が必要となっている。
【先行技術文献】
【特許物件】
【０００３】
【特許文献１】
【発明の概要】
【発明が解決しようとする課題】
【０００４】しかしながら、従来の光学式文字認識システムおいては、画像データの傾きなど一部の事象に対しする部分的補正機能は存在するが、画像データ取得時に発生するゴミ・画像の傾き・画像の向きに対する処理を人手で処理しなければならない課題があった。本発明は、画像データに対し部分的補正機能で処理出できない事象や資料種別毎の整理作業と画像データ取得時に発生するノイズ・画像の向き・傾きなどを一括で自働処理出来る画像処理プログラムの提供を目的とする。
【課題を解決するための手段】
【０００５】本発明にはアメリカの企業である「Ａｃｃｕｓｏｆｔ  Ｃｏｒｐｏｒａｔｉｏｎ」より有償で提供されるデジタルイメージングソフトウェア開発ツールを使用し画像編集加工が実現できるソフトウェアを発明する。
【発明の効果】
【０００６】以上の解決手段により、本発明において以下の効果を得られる。
（１）ＯＣＲ用画像作成において、画像の傾き補正・ノイズ除去・ライン除去が設定値に基づく画像編集加工が自働で施され文字認識率の向上を行う事ができる。【０００７】（２）フォーム照合機能により対象の元資料の仕訳け及び画像向きの検査修正に関わるコスト低減の効果が得られる。
【発明を実施するための形態】
【０００８】  下記に示す１１種の機能を有する画像編集加工できるソフトウェアの構築を行う。
【０００９】白黒二値化機能：本機能はカラー画像を白黒二値画像データ（モノクロ画像）へ変換を実施する際の変換後の白黒二値画像データの濃度・画像形成ピクセルの拡張・縮小調整が実施出来る機能である。
【００１０】傾き補正の機能：本機能は画像データ作成時に発生する正画像に対する傾きに対し、白黒二値画像データ（モノクロ画像）の左上より配列されるピクセル情報を基に傾きを検知させ自働的に角度修正を行う。
【００１１】ノイズ除去機能：本機能は白黒二値画像データ（モノクロ画像）に対し形成されるピクセルサイズ（縦横）を指定することで該当するピクセルをピンホールダストとして画像上より消去する機能である。
【００１２】ライン除去：本機能は白黒二値画像データ（モノクロ画像）に対し元資料に描画された罫線等直線で形成される画像を対象に太さ及び長さを指定することで該当する画像データを画像上より消去する機能である。
【００１３】特定色除去：本機能はＲＢＧで形成されたカラー画像に対し任意で指定される色構成色に対し白色（Ｒ：２５５  Ｇ：２５５  Ｂ：２５５）に変換出来る機能である。
また、指定された色構成色に対し類似色も同時に白色（Ｒ：２５５  Ｇ：２５５  Ｂ：２５５）へ変換出来る調整機能を有する。
【００１４】フォーム照合機能：本機能は予めソフトウェアに任意で登録された画像パターン（黒二値画像データ）と照合対象とする白黒二値画像データ（モノクロ画像）のピクセル配列を照合し、照合一致した画像を登録された像パターンに合せ自働で画像回転・傾き補正を行う機能である。
【００１５】フォーム振分け：本機能は前期記述のフォーム照合機能に合せ、白黒二値画像データ（モノクロ画像）を登録された画像パターン（フォーム）ごとにフォルダを自働作成し各々の照合一致画像を格納する機能である。
また、同時に照合不一致となった白黒二値画像データ（モノクロ画像）はアンマッチフォルダが作成されそこに格納される。
【００１６】テンプレート保存機能：本機能は画像編集加工の各機能の設定値に任意の名称を付与し設定ファイルとして保存出来る機能である。
尚、本機能は任意で追加作成ができ複数の設定を保存できるものである。
【００１７】フォーム画像登録機能：本機能はフォーム照合機能・振分け機能で照合元となる画像パターン（フォーム）を任意で登録出来る機能である。
尚、登録した画像パターン（フォーム）には任意名称の付与が可能であり、振分け機能実施時にこの名称で格納フォルダが作成される。
【００１８】入力画像ファイル指定機能：本機能は発明されたソフトウェアで画像編集加工を行う対応ファイルの格納場所を任意で指定できる機能である。
尚、指定できる場所は任意の１フォルダのみである。
【００１９】出力画像ファイル指定機能：本機能は発明されたソフトウェアで画像編集加工を施した後の白黒二値画像データ（モノクロ画像）ファイルの格納場所を任意で指定できる機能である。
尚、指定できる場所は任意の１フォルダのみである。
【図１】
2020119479.tif 000003
【図２】
2020119479.tif 000004
【図３】
2020119479.tif 000005
【図４】
2020119479.tif 000006
【図５】
2020119479.tif 000007
【図６】
2020119479.tif 000008
【図７】
2020119479.tif 000009
【図８】
2020119479.tif 000010
【図９】
2020119479.tif 000011
【図１０】
2020119479.tif 000012
【手続補正書】
【提出日】令和1年5月16日(2019.5.16)
【手続補正１】
【補正対象書類名】明細書
【補正対象項目名】全文
【補正方法】変更
【補正の内容】
【発明の詳細な説明】
【技術分野】
【０００１】本発明は、光学式文字認識（以下ＯＣＲと言う）において文字認識の基となる画像データの品質によりその認識精度が大きく左右される特性がありＯＣＲ時の認識精度向上の実現する画像加工を実施する発明である。
【背景技術】
【０００２】ＯＣＲ処理において対象とする帳票より文字認識の基となる画像データを作成し文字認識を実施しているが、認識精度向上のため、画像の傾き・画像の向きが正確である画像の提供が必要となっている。
【先行技術文献】
【特許物件】
【０００３】
【特許文献１】
【発明の概要】
【発明が解決しようとする課題】
【０００４】しかしながら、従来の光学式文字認識システムおいては、画像データの傾きなど一部の事象に対しする部分的補正機能は存在するが、画像データ取得時に発生するゴミ・画像の傾き・画像の向きに対する処理を人手で処理しなければならない課題があった。
本発明は、画像データに対し部分的補正機能で処理出できない事象や資料種別毎の整理作業と画像データ取得時に発生するノイズ・画像の向き・傾きなどを一括で自働処理出来る画像処理プログラムの提供を目的とする。
【課題を解決するための手段】
【０００５】本発明にはアメリカの企業である「Ａｃｃｕｓｏｆｔ  Ｃｏｒｐｏｒａｔｉｏｎ」より有償で提供されるデジタル  イメージング  ソフトウェア開発ツールを使用し画像編集加工が実現できるソフトウェアを発明する。
【発明の効果】
【０００６】  以上の解決手段により、本発明において以下の効果を得られる。
（１）ＯＣＲ用画像作成において、画像の傾き補正・ノイズ除去・ライン除去が設定値に基づく画像編集加工が自働で施され文字認識率の向上を行う事ができる。【０００７】（２）フォーム照合機能により対象の元資料の仕訳け及び画像向きの検査修正に関わるコスト低減の効果が得られる。
【発明を実施するための形態】
【０００８】  下記に示す１１種の機能を有する画像編集加工できるソフトウェアの構築を行う。
【０００９】白黒二値化機能：本機能はカラー画像を白黒二値画像データ（モノクロ画像）へ変換を実施する際の変換後の白黒二値画像データの濃度・画像形成ピクセルの拡張・縮小調整が実施出来る機能である。
【００１０】傾き補正の機能：本機能は画像データ作成時に発生する正画像に対する傾きに対し、白黒二値画像データ（モノクロ画像）の左上より配列されるピクセル情報を基に傾きを検知させ自働的に角度修正を行う。
【００１１】ノイズ除去機能：本機能は白黒二値画像データ（モノクロ画像）に対し形成されるピクセルサイズ（縦横）を指定することで該当するピクセルをピンホールダストとして画像上より消去する機能である。
【００１２】ライン除去：本機能は白黒二値画像データ（モノクロ画像）に対し元資料に描画された罫線等直線で形成される画像を対象に太さ及び長さを指定することで該当する画像データを画像上より消去する機能である。
【００１３】特定色除去：本機能はＲＢＧで形成されたカラー画像に対し任意で指定される色構成色に対し白色（Ｒ：２５５  Ｇ：２５５  Ｂ：２５５）に変換出来る機能である。
また、指定された色構成色に対し類似色も同時に白色（Ｒ：２５５  Ｇ：２５５  Ｂ：２５５）へ変換出来る調整機能を有する。
【００１４】フォーム照合機能：本機能は予めソフトウェアに任意で登録された画像パターン（黒二値画像データ）と照合対象とする白黒二値画像データ（モノクロ画像）のピクセル配列を照合し、照合一致した画像を登録された像パターンに合せ自働で画像回転・傾き補正を行う機能である。
【００１５】フォーム振分け：本機能は前期記述のフォーム照合機能に合せ、白黒二値画像データ（モノクロ画像）を登録された画像パターン（フォーム）ごとにフォルダを自働作成し各々の照合一致画像を格納する機能である。
また、同時に照合不一致となった白黒二値画像データ（モノクロ画像）はアンマッチフォルダが作成されそこに格納される。
【００１６】テンプレート保存機能：本機能は画像編集加工の各機能の設定値に任意の名称を付与し設定ファイルとして保存出来る機能である。
尚、本機能は任意で追加作成ができ複数の設定を保存できるものである。
【００１７】フォーム画像登録機能：本機能はフォーム照合機能・振分け機能で照合元となる画像パターン（フォーム）を任意で登録出来る機能である。
尚、登録した画像パターン（フォーム）には任意名称の付与が可能であり、振分け機能実施時にこの名称で格納フォルダが作成される。
【００１８】入力画像ファイル指定機能：本機能は発明されたソフトウェアで画像編集加工を行う対応ファイルの格納場所を任意で指定できる機能である。
尚、指定できる場所は任意の１フォルダのみである。
【００１９】出力画像ファイル指定機能：本機能は発明されたソフトウェアで画像編集加工を施した後の白黒二値画像データ（モノクロ画像）ファイルの格納場所を任意で指定できる機能である。
尚、指定できる場所は任意の１フォルダのみである。
【図面の簡単な説明】
【００２０】
【図１】画像のカラー（左側）を  白黒二値画像処理した結果（右側）
【図２】画像の傾き（左側）を  平行に補正した結果（右側）
【図３】画像（左側）より指定したピクセルを除去した結果（右側）
【図４】画像（左側）より指定したドットシェーディングを除去した結果（右側）
【図５】画像（左側）より指定した罫線の画像を除去した結果（右側）
【図６】画像（左側）より指定した色相のピクセルを除去した結果（右側）
【図７】画像（左側）より登録した画像に合わせ自動で回転させた結果（右側）
【図８】画像（左側）より登録した画像種類にあわせ自動でデータ振り分けを行うイメージ画（右側）
【図９】発明した画像処理プログラムのフロー図
【図１０】一括処理の設定フロー図